(57)【要約】      （修正有）【課題】室外子機と室内親機とを備えたテレビインターホン装置において、室外子機の電力系統からの電力供給を必須とせず、かつ、従来よりもインターホン装置の機能停止までの時間を延長できるテレビインターホン装置を提供する。【解決手段】テレビインターホン装置の室外子機は、太陽電池を有し、太陽電池の電池電圧値を検出することにより、太陽電池の電池電圧値に応じて、映像及び音声の通信から、映像の送信を停止して音声のみの通信に切り替える映像送信停止手段を備える。これにより、太陽電池の電池持ちが向上し、テレビインターホン装置の機能停止までの時間を延長することが可能となる。【選択図】図４
2012009953.tif 000002
【特許請求の範囲】
【請求項１】
室外子機と室内親機間で映像や音声を通信するテレビインターホン装置であって、
前記室外子機が、太陽電池と、 
電池電圧値を検出する電圧値検出手段と、
前記電圧値検出手段により検出された太陽電池電圧値とあらかじめ定めた第１の設定電圧値との大小を判定する第１電圧値判定手段と、
前記太陽電池電圧値が前記第１の設定電圧値より小さい場合に、映像の送信を停止する映像送信停止手段と、を備えることを特徴とするテレビインターホン装置。
【請求項２】
前記第１電圧値判定手段によって前記太陽電池電圧値が前記第１の設定電圧値より小さい場合場合に、
前記室外子機が、前記室外子機の状態を前記室内親機の表示部に表示させる信号を送信する第１の状態表示信号送信手段を備え、
前記室内親機が、前記第１の状態表示信号を受信する状態表示信号受信手段を備えることを特徴とする請求項１に記載のテレビインターホン装置。
【請求項３】
前記室外子機が、バックアップ用の予備電池と、
前記太陽電池電圧値と、前記第１の設定電圧値より小さいあらかじめ定めた第２の設定電圧値との大小を判定する第２電圧値判定手段と、
前記太陽電池電圧値が前記第２の設定電圧値より小さい場合に、前記室外子機の電源供給を、前記太陽電池から前記予備電池に切り替える電源切替手段と、を備えることを特徴とする請求項１又は２に記載のテレビインターホン装置。
【請求項４】
前記第２電圧値判定手段によって前記太陽電池電圧値が前記第２の設定電圧値より小さい場合に、
前記室外子機が、前記室外子機の状態を前記室内親機の表示部に表示させる信号を送信する第２の状態表示信号送信手段を備え、
前記室内親機が、前記第２の状態表示信号を受信する状態表示信号受信手段を備えることを特徴とする請求項３に記載のテレビインターホン装置。
【請求項５】
前記室外子機が、前記電圧値検出手段によって検出した前記予備電池の予備電池電圧値とあらかじめ定めた第３の設定電圧値との大小を判定する第３電圧値判定手段と、
前記予備電池電圧値が前記第３の設定電圧値より小さい場合に、前記室外子機が、予備電池交換表示信号を送信する予備電池交換表示信号送信手段とを備え、
前記室内親機が、前記予備電池交換表示信号を受信する予備電池交換表示信号受信手段を備えることを特徴とする請求項３又は４に記載のテレビインターホン装置。
【請求項６】
前記予備電池電圧値が前記第３の設定電圧値より小さい場合に、前記室外子機が、音声の通信を停止する音声通信停止手段を備えることを特徴とする請求項５に記載のテレビインターホン装置。
【請求項７】
前記室外子機と前記室内親機との通信が、無線によるものであることを特徴とする請求項１〜６のいずれか１項に記載のテレビインターホン装置。
【発明の詳細な説明】
【技術分野】
【０００１】
本発明は、インターホン装置に関し、特に、カメラ付きのテレビインターホン装置に関するものである。
【背景技術】
【０００２】
テレビインターホン装置は、音声やチャイム音の通信と同時に、室外子機のカメラで撮像した映像を有線又は無線によって室内親機へ送信し、室内親機にその映像を表示するものであり、従来から種々提案されている。この種のテレビインターホン装置の室外子機は、電力系統から電力供給するのが通常である。従来の音声のみのインターホン装置では乾電池から電力供給するのが一般的であるが、テレビインターホン装置は映像を室内親機に送信するので、音声のみを通信するインターホン装置と比較し、大きな電力を必要とするためである。
【０００３】
一方、テレビインターホン装置において、室外子機に太陽電池を用いたものが開示されている（例えば、特許文献１参照）。
【０００４】
特許文献１に記載のテレビインターホン装置（テレビドアホン装置）は、室外子機本体に接続された二次電池を有する充電器に発電器が接続され、この二次電池から電力供給するものである。
【先行技術文献】
【特許文献】
【０００５】
【特許文献１】特開２００４−３２５３３号公報（図１，図５参照）
【発明の概要】
【発明が解決しようとする課題】
【０００６】
しかしながら、特許文献１のテレビインターホン装置は、前記した通り映像の送信に大きな電力を必要とするため、頻繁に使用した場合や夜間などにおいて室外子機の電池切れの心配がある。室外子機の電池が切れると、当然にインターホンとしての機能が完全に停止してしまう。また、室内にいる居住者は室外子機の電池切れに気づきにくい。
【０００７】
一方、従来のテレビインターホン装置では、電池切れの心配は不要であるが、電力系統から電力供給するため、設置場所が限定される上、室外子機の取り付けが猥雑で、工事が必須であり設置コストが大きいという課題がある。
【０００８】
本発明は上述の点に鑑みてなされたもので、太陽電池を用いた室外子機と、室内親機との通信を、太陽電池の状態に応じて、映像及び音声から音声のみの通信に切り替え可能とすることにより、電力系統からの電力供給を必須とせず、かつ、電池持ちのよいテレビインターホン装置を提供することを目的とする。
【課題を解決するための手段】
【０００９】
上記の課題を解決するために本発明に係るテレビインターホン装置は、室外子機と室内親機間で映像や音声を通信するテレビインターホン装置であって、
前記室外子機が、太陽電池と、電池電圧値を検出する電圧値検出手段と、前記電圧値検出手段により検出された太陽電池電圧値とあらかじめ定めた第１の設定電圧値との大小を判定する第１電圧値判定手段と、前記太陽電池電圧値が前記第１の設定電圧値より小さい場合に、映像の送信を停止する映像送信停止手段と、を備えることを特徴とする。
【００１０】
この構成によれば、太陽電池の電池電圧値が所定の設定電圧値を下回った場合に、映像や音声の通信から、映像の通信を停止して、映像及び音声の通信から音声の通信に切り替えることができるため、太陽電池の電池持ちを向上できる。なお、映像及び音声の通信に比べ、音声の通信は消費電力が大幅に少ないため、従来に比べてインターホン機能が停止するまでの時間を大きく延長できる。また、映像及び音声の通信、並びに音声の通信には、当然に室内親機のチャイム音を鳴らすための信号等の通信も含まれる。
【００１１】
また、太陽電池には充電可能なものを用い、具体的には二次電池にソーラーパネルを接続してなる太陽電池を用いる。なお、ソーラーパネルは、室外子機と一体でもよいし、別途接続する構成でもよい。
【００１２】
ここで、以下について簡単に説明する。
・「電圧値検出手段」とは、たとえば、室外子機の回路内に電圧計を設けることとすればよい。
・「第１の設定電圧値」とは、映像及び音声の通信から音声の通信に切り替える電圧の境界値をいい、この設定によって、映像及び音声の通信と、音声の通信とのバランスが決まる。通常、この第１の設定電圧値は比較的小さい値に設定して、映像及び音声の通信がされる状態をメインに使用する。
・「第１電圧値判定手段」とは、太陽電池電圧値と第１の設定電圧値とが制御部に入力され、制御部がその大小を判定するものである。
・「映像送信停止手段」とは、室外子機の制御部が、映像の送信を停止させ、映像及び音声の通信から音声の通信に切り替えるものである。
【００１３】
請求項２に係るテレビインターホン装置は、前記第１電圧値判定手段によって前記太陽電池電圧値が前記第１の設定電圧値より小さい場合に、前記室外子機が、前記室外子機の状態を前記室内親機の表示部に表示させる信号を送信する第１の状態表示信号送信手段を備え、前記室内親機が、前記第１の状態表示信号を受信する状態表示信号受信手段を備えることとしてもよい。
【００１４】
この構成によれば、室内親機に室外子機の状態が表示されるので、居住者は室内に居ながら室外子機の状態を知ることができる。ここで、「第１の状態」とは、室外子機が映像及び音声の通信から音声の通信に切り替わった状態である「音声のみの通信状態」（映像及び音声に対し、音声のみという意味）をいう。なお、室外子機が「音声のみの通信状態」の場合は室内親機に『映像停止』などと表示させる。
【００１５】
請求項３に係るテレビインターホン装置は、前記室外子機が、バックアップ用の予備電池と、前記太陽電池電圧値と前記第１の設定電圧値より小さいあらかじめ定めた第２の設定電圧値との大小を判定する第２電圧値判定手段と、前記太陽電池電圧値が前記第２の設定電圧値より小さい場合に、前記室外子機の電源供給を、前記太陽電池から前記予備電池に切り替える電源切替手段とを備えることが好ましい。
【００１６】
この構成によれば、太陽電池の電池電圧値が、第２の設定電圧値を下回った場合、バックアップ用の予備電池に切り替わるため、万が一太陽電池が切れかかっても、インターホンの機能が完全に停止することなく使用を継続できる。なお、「第２の設定電圧値」は、前記「第１の設定電圧値」より小さい値に設定する。ここで、「電源切替手段」とは、室外子機の制御部が、電源供給を太陽電池から予備電池に切り替えるものである。
【００１７】
請求項４に係るテレビインターホン装置は、前記第２電圧値判定手段によって前記太陽電池電圧値が前記第２の設定電圧値より小さい場合に、前記室外子機が、前記室外子機の状態を前記室内親機の表示部に表示させる信号を送信する第２の状態表示信号送信手段を備え、前記室内親機が、前記第２の状態表示信号を受信する状態表示信号受信手段を備えてもよい。
【００１８】
この構成によれば、室内親機に室外子機の状態が表示されるので、居住者は室内に居ながら室外子機の状態を知ることができる。ここで、「第２の状態」とは、室外子機が「音声のみの通信状態（太陽電池による）」から切り替わった状態である「音声のみの通信状態（予備電池による）」をいう。なお、室外子機が「音声のみの通信状態（予備電池による）」の場合は、室内親機に『充電中』などと表示させる。
【００１９】
請求項５に係るテレビインターホン装置は、前記室外子機が、前記電圧値検出手段によって検出した前記予備電池の予備電池電圧値とあらかじめ定めた第３の設定電圧値との大小を判定する第３電圧値判定手段と、前記予備電池電圧値が前記第３の設定電圧値より小さい場合に、前記室外子機が、予備電池交換表示信号を送信する予備電池交換表示信号送信手段とを備え、前記室内親機が、前記予備電池交換表示信号を受信する予備電池交換表示信号受信手段を備えることが好ましい。
【００２０】
この構成によれば、バックアップ用の予備電池の電池電圧値が小さくなった場合に、室内親機に予備電池の電池切れを注意喚起する表示がされるため、居住者はそのことを早期に気づくことができる。この表示がされた場合、居住者は速やかにバックアップ用の予備電池を交換すればよい。ここで、「第３の設定電圧値」とは、予備電池の電池容量が少ない状態の電池電圧値を設定する。なお、第１の設定電圧値及び第２の設定電圧値が太陽電池の電池電圧値に基づいて設定されるものであるのに対し、第３の設定電圧値は予備電池の電池電圧値に基づき設定する。
【００２１】
請求項６に係るテレビインターホン装置は、前記予備電池電圧値が前記第３の設定電圧値より小さい場合に、前記室外子機が、音声の通信を停止する音声通信停止手段を備えることとしてもよい。
【００２２】
この構成によれば、予備電池の電池電圧値が第３の設定電圧値を下回った場合に、音声の通信を積極的に停止する。そして、チャイム音の信号送信のみを継続させる。これにより、音声の通信を停止した後もチャイム音で来訪者を知ることができる上、音声通信を行う場合に比べて電池持ちが向上し、インターホン装置が完全な機能停止状態に至るまでの時間を延長できる。
【００２３】
請求項７に係るテレビインターホン装置は、前記室外子機と前記室内親機との通信手段が、無線によるものであることが好ましい。
【００２４】
この構成によれば、室外子機と室内親機との物理的な接続が不要となり、さらに室外子機の設置場所の制限が緩和される。
【発明の効果】
【００２５】
以上のように、本発明に係るテレビインターホン装置は、次のような優れた効果がある。
・電力系統からの電源供給が必須ではなく、設置コストを抑え、低コスト化できる。
・電池電圧に応じて、映像及び音声の通信から音声の通信に切り替えられるため、電池持ちが向上し、インターホン機能が停止するまでの時間を延長できる。
【図面の簡単な説明】
【００２６】
【図１】（ａ）は本発明の実施形態に係るテレビインターホン装置の室外子機のブロック図であって、（ｂ）は（ａ）の室外子機の変形例を示すブロック図である。
【図２】同テレビインターホン装置の室内親機のブロック図である。
【図３】（ａ）は同テレビインターホン装置の室外子機の状態と室内親機の状態及び表示との関係を示し、太陽電池の電池容量を基準とする説明図である。（ｂ）は予備電池の電池容量を基準とする説明図である。
【図４】同テレビインターホン装置のフローチャート図である。
【図５】図４のフローチャートの一部変形例を示すフローチャート図である。
【発明を実施するための形態】
【００２７】
以下、本発明に係るテレビインターホン装置について、図面に基づき説明する。なお、本発明は下記実施形態に限定されるものではない。
【００２８】
１．[テレビインターホン装置の構成]
本発明のテレビインターホン装置は、主として玄関に設置する室外子機１と、室内に設置する室内親機２とを主要な構成とする。なお、室外子機１と室内親機２との通信は無線によるワイヤレス通信である。
【００２９】
（１）室外子機１
図１（ａ）に示すように、室外子機１は、制御部１１に、主要電源である太陽電池１２、バックアップ用の予備電池１３、室内親機２との無線通信に使用する無線部１４、来訪者等を撮像するカメラ部１５、マイク部１６、スピーカー部１７、音量調整ＳＷ１８、呼び出しボタン１９が接続されている。なお、太陽電池１２は、二次電池１２ａとソーラーパネル１２ｂとからなり、ソーラーパネル１２ｂが太陽光を受けて二次電池１２ａが充電される。予備電池１３は通常の乾電池（一次電池）でもよいし、乾電池型の充電池（二次電池）でもよい。
【００３０】
また、制御部１１には、ＣＰＵ１１ａとメモリ１１ｂ、回路上に配された電圧計１１ｃとを有し、この電圧計１１ｃによって、太陽電池１２や予備電池１３の電池電圧値が検出される。そして、その検出された電池電圧値と、あらかじめ設定されメモリー１１ｂに記憶された設定電圧値とがＣＰＵ１１ａに入力され、その大小を判定する。一方、電池電圧と電池容量とは相関があるため、電池電圧値を計測することで電池容量を知ることができる。
【００３１】
なお、室外子機１の状態を室内親機２に表示させる状態表示信号の送信は、無線部１４によって行われる。
【００３２】
また、本実施形態の室外子機１は、ソーラーパネル１２ｂが一体に組み込まれ構成されているが、図１（ｂ）のように、ソーラーパネル１２ｂ’を別体とし、室外子機１’に接続する構成としてもよい。その他の機器については、室外子機１と同様の構成である。
【００３３】
（２）室内親機２
図２に示すように、室内親機２は、制御部２１に、電源部２２、室外子機１との無線通信に使用する無線部２４、室外子機１のカメラ部１５により撮像された映像を表示する表示部（ディスプレイ）２５、マイク部２６、スピーカー部２７、音量調整ＳＷ２８、応答ボタン２９とが接続されている。また、電源部２２は、コンセントを介してＡＣ１００Ｖ（電力系統）２３に接続され、室内親機２に電力供給している。なお、室外子機１の状態を表示部２５に表示するための状態表示信号の受信は、無線部２４によって行われる。
【００３４】
また、制御部２１はＣＰＵ２１ａとメモリ２１ｂとを有し、室外子機１より送信された状態表示信号を室内親機２の無線部２４で受信した後、ＣＰＵ２１ａで処理し、状態表示信号に応じたデータをメモリ２１ｂより読み出し、表示部２５に室外子機１の状態を表示させる。
【００３５】
２．[室外子機１の状態と室内親機２の表示との関係]
（１）太陽電池１２の状態に基づく
図３（ａ）は、太陽電池電圧の各状態における、室外子機１の状態と室内親機２の状態及び表示部２５の表示との関係を示す図である。図３（ａ）に示すように、太陽電池電圧値が満充電電圧値〜第１設定電圧値において、室外子機１と室内親機２間で映像及び音声の通信がされる。
【００３６】
太陽電池電圧値が第１設定電圧値〜第２設定電圧値においては、室外子機１の制御部１１が映像及び音声の通信から音声のみの通信に切り替えるため、室外子機１と室内親機２とで音声のみのやりとりとなる。なお、ここで音声のみとは、映像及び音声に対し音声のみとの意味であり、チャイム音の通信や状態表示の通信などは継続される（以下、同じ）。また、それと同時に、室外子機１は『映像停止』を表示させる信号（第１の状態表示信号）を室内親機２に通信する。これにより室内親機２の表示部２５に『映像停止』と表示される。
【００３７】
太陽電池電圧値が第２設定電圧値を下回る場合、室外子機１の制御部１１は、電源供給を太陽電池１２から予備電池１３へ切り替える。この時、室外子機１は音声のみの通信を継続し、映像の撮像及び送信はされず、室外子機１と室内親機２とで音声のみのやりとりとなる。それと同時に、室外子機１は『充電中』を表示させる信号（第２の状態表示信号）を室内親機２に通信する。これにより室内親機２の表示部２５に『充電中』と表示される。なお、『充電中』とは、太陽電池１２が充電中であって、予備電池１３が使用されている状態を表す。
【００３８】
（２）予備電池１３の状態に基づく
図３（ｂ）は、予備電池電圧の各状態における、室外子機１の状態と室内親機２の状態及び表示部２５の表示との関係を示す図である。なお、図３（ｂ）は、図３（ａ）の太陽電池電圧値が第２レベルを下回った状態における、予備電池１３の電池電圧の各状態の詳細である。
【００３９】
予備電池電圧値が満充電電圧値〜第３設定電圧値において、予備電池１３を電源として、室外子機１と室内親機２とで音声のみの通信が行われ、室内親機２の表示部２５には『充電中』と表示される。『充電中』とは、太陽電池１２が充電中の意味である。
【００４０】
予備電池電圧値が第３設定電圧値を下回る場合、音声の通信も停止され、室外子機１は『予備電池交換』を表示させる信号（予備電池交換表示信号）を室内親機２に通信し、室内親機２の表示部２５には『予備電池交換』と表示される。なお、一旦室内親機２にこの表示がされた場合には、予備電池１３が交換されるまで、この表示がされる。この状態は、映像及び音声の通信が停止している状態である。したがって、この『予備電池交換』表示がされた場合、居住者は早急に予備電池１３を交換することが望ましい。
【００４１】
なお、第１設定電圧値及び第２設定電圧値が太陽電池１２の電圧値に基づいて設定されるものであるのに対し、第３設定電圧値は予備電池１３の電圧値に基づき設定されるものである。
【００４２】
以上、太陽電池１２や予備電池１３の電池電圧値に応じた室外子機１と室内親機２の状態及び表示部２５の表示について説明したが、前記『映像停止』『充電中』『予備電池交換』等の表示は例示であり、これら以外の文言を用いてもよい。
【００４３】
３．[フローチャート]
次に、図４のフローチャート図に基づき、テレビインターホン装置の制御フローについて説明する。
【００４４】
（１）ステップＳ１〜ステップＳ２
まず、来訪者が室外子機１の呼び出しボタン１９を押すと（ステップＳ１）、制御部１１が太陽電池１２の電池電圧値Ｖａと第１設定電圧値Ｖ１との大小を判定する（ステップＳ２）。
【００４５】
（２）ステップＳ３〜ステップＳ５
Ｖａ＞Ｖ１の場合、居住者が室内親機２の応答ボタン２９を押すと、室外子機１は来訪者の映像をカメラ部１５で撮像して、映像及び音声データを無線部１４より室内親機２へ送信する（ステップＳ３）。そして、室内親機２の無線部２４が映像及び音声データを受信して、表示部２５にその映像が映し出される。居住者はその映像を見ながら来訪者を確認して、来訪者と話をする（ステップＳ４）。なお、音声については双方向通信で行われ、居住者及び来訪者の音声がマイク部１６及び２６を介して、スピーカー部１７及び２７よりその音声が出力される。来訪者とのやりとりが終わると、居住者は応答ボタン２９を押して通話を終了する（ステップＳ５）。
【００４６】
（３）ステップＳ６
ステップＳ２の大小判定において、Ｖａ＞Ｖ１でないと判定した場合、次に、室外子機１の制御部１１は、太陽電池１２の電池電圧値Ｖａと第２設定電圧値Ｖ２との大小を判定する（ステップＳ６）。
【００４７】
（４）ステップＳ７〜ステップＳ９
Ｖａ＞Ｖ２の場合、居住者が室内親機２の応答ボタン２９を押すと、音声データを室外子機１の無線部１４より室内親機２へ送信する。これと同時に、室外子機１は『映像停止』の表示データを室内親機２へ送信する（ステップＳ７）。なお、このとき映像は送信されず、カメラ部１５も動作しない。そして、室内親機２の無線部２４が音声データ及び『映像停止』表示データを受信する。居住者は、表示部２５に『映像停止』表示がされた状態で来訪者と話をする（ステップＳ８）。来訪者とのやりとりが終わると、居住者は応答ボタン２９を押して通話を終了する（ステップＳ９）。
【００４８】
（５）ステップＳ１０
ステップＳ６の大小判定において、Ｖａ＞Ｖ２でないと判定した場合、制御部１１は室外子機１の電力供給を、太陽電池１２から予備電池１３へと切り替える（ステップＳ１０）。
【００４９】
（６）ステップＳ１１
そして、制御部１１は予備電池１３の電池電圧値Ｖｂと第３設定電圧値Ｖ３との大小を判定する（ステップＳ１１）。
【００５０】
（７）ステップＳ１２〜ステップＳ１４
ステップＳ１１の大小判定において、Ｖｂ＞Ｖ３の場合、居住者が室内親機２の応答ボタン２９を押すと、音声データを室外子機１の無線部１４より室内親機２へ送信する。これと同時に、室外子機１は『充電中』の表示データを室内親機２へ送信する（ステップＳ１２）。なお、映像は送信されず、カメラ部１５も動作しない。そして、室内親機２の無線部２４が音声データ及び『充電中』表示データを受信する。居住者は、表示部２５に『充電中』の表示がされた状態で来訪者と話をする（ステップＳ１３）。来訪者とのやりとりが終わると、居住者は応答ボタン２９を押して通話を終了する（ステップＳ１４）。
【００５１】
（８）ステップＳ１５〜ステップＳ１６
一方、ステップＳ１１の大小判定において、Ｖｂ＞Ｖ３でないと判定した場合、予備電池１３の電池電圧が小さく電池切れに近い状態であるため、室外子機１は音声通信も停止させる。この場合には、室外子機１の無線部１４より『予備電池交換』の表示データを室内親機２へ送信する（ステップＳ１５）。これを室内親機２の無線部２４が受信して、表示部２５に『予備電池交換』の表示がされる（ステップＳ１６）。この表示は、いわば居住者に予備電池１３の電池切れを注意喚起するためのものであり、一旦室内親機２にこの表示がされた場合には、予備電池１３が交換されるまで、この表示がされるものとする。これに気付いた居住者は直ちに予備電池１３を交換するとよい。
なお、注意喚起の方法としては、『予備電池交換』表示以外のものも考えられ、例えばランプを点灯・点滅させるといった方法でもよい。
【００５２】
（８’）ステップＳ２１及びステップＳ２５〜ステップＳ２６（ステップＳ１１、ステップＳ１５、ステップＳ１６の変形例）
ステップＳ１１及びステップＳ１５〜ステップＳ１６に代えて、以下のようにフローを変形してもよい。なお、それ以外のステップについては、前記実施形態と同様である。以下、変形例について図５を用いて説明する。
【００５３】
制御部１１が室外子機１の電源供給を、太陽電池１２から予備電池１３へと切り替えた後（ステップＳ１０）、制御部１１は予備電池１３の電池電圧値Ｖｂと第３’設定電圧値Ｖ３’との大小を判定する（ステップＳ２１）。なお、この第３’設定電圧値Ｖ３’は、第３設定電圧値Ｖ３よりも少し高い電圧値、つまり予備電池１３の電池容量を少し残した状態となるよう設定するとよい。
この時、ステップＳ２１の大小判定において、Ｖｂ＞Ｖ３’と判定された場合のＳ１２〜Ｓ１４は、前記（７）のフローと同一とする。
【００５４】
一方、ステップＳ２１の大小判定において、Ｖｂ＞Ｖ３’でないと判定された場合、室外子機１は映像及び音声の通信を停止し、チャイム音の通信と表示データの通信のみ可能な状態となる。この場合、来訪者が呼び出しボタン１９を押すと、室外子機１の無線部１４よりチャイム音信号と『予備電池交換』の表示データを室内親機２へ送信する（ステップＳ２５）。これを室内親機２の無線部２４が受信して、室内親機２のスピーカー部２７よりチャイム音が鳴り、同時に、表示部２５に『予備電池交換』の表示がされる（ステップＳ２６）。この表示は、居住者に予備電池１３の電池切れを注意喚起するためのものである。この変形例においては、音声のやりとりはできずとも、居住者は来訪者をチャイム音によって知ることができる。また、音声の通信も停止した状態であるため、予備電池１３の電池持ちが良くなり、テレビインターホン装置の機能が完全に停止するまでの時間を延長できるというメリットがある。
【符号の説明】
【００５５】
１  室外子機
１１  制御部
１１ａ  ＣＰＵ
１１ｂ  メモリ
１１ｃ  電圧計
１２  太陽電池
１２ａ  二次電池
１２ｂ  ソーラーパネル
１３  予備電池
１４  無線部
１５  カメラ部
１６  マイク部
１７  スピーカー部
１８  音量調整ＳＷ
１９  呼び出しボタン
２  室内親機
２１  制御部
２１ａ  ＣＰＵ
２１ｂ  メモリ
２２  電源部
２３  電力系統
２４  無線部
２５  表示部
２６  マイク部
２７  スピーカー部
２８  音量調整ＳＷ
２９  応答ボタン
１’      室外子機（変形例）
１１’    太陽電池
１２ａ’  二次電池（変形例）
１２ｂ’  ソーラーパネル（変形例）
【図１】
2012009953.tif 000003
【図２】
2012009953.tif 000004
【図３】
2012009953.tif 000005
【図４】
2012009953.tif 000006
【図５】
2012009953.tif 000007